(57)【要約】【課題】既製品として市販されているマスクを、紐を用いずに装着することができるマスク固定用シールを提供する。【解決手段】紐３を用いて装着されるマスク１に用いられ、紐３を外した状態で装着可能にするためのマスク固定用シール１０ａ、１０ｂであって、マスク１側に取り付けられるマスク固定部２０と、利用者の頬部に貼り付けられ、マスク１の装着時に紐３を挿通させる紐挿通用スリット３１が形成され、紐挿通用スリット３１によって上側シール部３０ａと下側シール部３０ｂとに分離された肌用シール部３０とを備えている。【選択図】図３
0003232484.tif 000002
【実用新案登録請求の範囲】
【請求項１】
紐を用いて装着されるマスクに用いられ、前記紐を外した状態で装着可能にするためのマスク固定用シールであって、
前記マスク側に取り付けられるマスク固定部と、
利用者の頬部に貼り付けられ、前記マスクの装着時に前記紐を挿通させる紐挿通用スリットが形成され、前記紐挿通用スリットによって上側シール部と下側シール部とに分離された肌用シール部と、
を備えたことを特徴とするマスク固定用シール。
【請求項２】
前記マスク固定部の下側には、利用者の顎部に貼り付けられる顎用シール部が設けられていることを特徴とする請求項１に記載のマスク固定用シール。
【請求項３】
前記上側シール部、前記下側シール部、および前記顎用シール部が、利用者の顔の輪郭に合わせて、それぞれ独立して屈曲することを特徴とする請求項１または請求項２に記載のマスク固定用シール。
【考案の詳細な説明】
【技術分野】
【０００１】
本考案は、既製品として市場に流通しているマスクに用いられ、マスクの紐を使用せずに着用するためのマスク固定用シールに関する。
【背景技術】
【０００２】
既製品のマスクは、マスクの紐を耳に掛けることで装着するのが一般的である。このような既製品のマスクを装着した状態では、例えば、美容関係の店舗で髪のカラーリング或いはパーマなどの施術をする際に紐が邪魔になり、耳付近での仕上がりが悪くなることがある。
【０００３】
そのため、現状では、マスクの紐を耳から外して、肌に優しい医療用のサージカルテープを用いてマスクを頬部に貼り付ける方法などがとられている。
【０００４】
一方、紐を用いずにマスクを貼り付けて装着可能な、紐無しのマスクも開発されている（例えば、特許文献１参照）。
【先行技術文献】
【特許文献】
【０００５】
【特許文献１】登録実用新案第３２３００５５号公報
【考案の概要】
【考案が解決しようとする課題】
【０００６】
上述したサージカルテープを用いてマスクを固定する場合、テープの幅が狭いため、固定力が弱い。そのため、顔の向きや口元を動かしただけでマスクがずれてしまい、利用者が不安を感じることがある。また、顔を上向きにしたときに紐が耳元にずれて移動してしまい、カラーなどの施術の邪魔になることがある。
【０００７】
一方、利用者に紐のないマスクを装着してもらうことも考えられるが、一般的に流通している既製品のマスクは紐を用いるタイプが大多数であり、紐のないマスクを来店の都度購入してもらうことは、利用者の費用負担が大きくなり現実的ではない。
【０００８】
本考案は、上述した事情を鑑みてなされたものであり、既製品として市販されているマスクを、紐を用いずに装着することができるマスク固定用シールを提供するためのものである。
【課題を解決するための手段】
【０００９】
上述課題を解決するため、本考案に係るマスク固定用シールは、紐を用いて装着されるマスクに用いられ、前記紐を外した状態で装着可能にするためのものであり、前記マスク側に取り付けられるマスク固定部と、利用者の頬部に貼り付けられ、前記マスクの装着時に前記紐を挿通させる紐挿通用スリットが形成され、前記紐挿通用スリットによって上側シール部と下側シール部とに分離された肌用シール部と、を備えたことを特徴とする。
【００１０】
また、前記マスク固定部の下側には、利用者の顎部に貼り付けられる顎用シール部を設けることもできる。
【００１１】
さらに、前記上側シール部、前記下側シール部、および前記顎用シール部が、利用者の顔の輪郭に合わせて、それぞれ独立して屈曲するようにしてもよい。
【考案の効果】
【００１２】
本考案のマスク固定用シールによれば、前記マスク側に取り付けられるマスク固定部と、利用者の頬部に貼り付けられ、前記マスクの装着時に前記紐を挿通させる紐挿通用スリットが形成され、前記紐挿通用スリットによって上側シール部と下側シール部とに分離された肌用シール部とを備えているので、紐挿通用スリットに紐を挿通させて、下側シール部で紐の位置を整えて固定することができる。これにより、マスク装着時に紐がずれて利用者の耳元に移動しないようにすることができる。また、紐の固定と、頬部への貼り付けを一手間で同時に行うことができる。
【００１３】
また、上側シール部と下側シール部とを上下に分離して構成しているので、それぞれ異なる利用者の顔の輪郭（曲面）に合わせて、上側シール部と下側シール部を個々に最適な位置で貼り付けることができる。また、髭を生やした利用者であっても、髭の上から十分な接着力で貼り付けることができる。
【図面の簡単な説明】
【００１４】
【図１】本考案の実施の形態に係るマスク固定用シールを、一般的なマスクに取り付けた状態を示す正面図である。
【図２】マスク固定用シールを単体で示す正面図である。
【図３】利用者の顔に装着された状態を示す正面図である。
【図４】本実施形態の変型例であって、マスク固定用シールを単体で示す正面図である。
【考案を実施するための形態】
【００１５】
以下、本考案の実施形態に係るマスク固定用シール１０ａについて、詳細に説明する。なお、以下の説明で使用する、上下、左右の方向は、図１に記載した方向をいうものとする。また、裏側（後側）とは図１の紙面奥側（マスク１が利用者の顔と接する側）をいい、表側（前側）とは紙面手前側をいうものとする。
【００１６】
既製品のマスク１は、図１に示すように、口元を覆う複数層の不織布２と、この不織布２の左右にそれぞれ設けられた紐３、３とで構成されており、この紐３、３を耳に掛けることで装着される。この不織布２の左右のそれぞれには、本考案のマスク固定用シール１０ａ、１０ａが取り付けられる。
【００１７】
このマスク固定用シール１０ａは、左右で同じものが使用されている。また、左側のマスク固定用シール１０ａは、図１の紙面上で１８０度回転させることで、右側のマスク固定用シール１０ａとして使用することができる。以下の説明では、右側に取り付けられるマスク固定用シール１０ａについて説明する。
【００１８】
図２に示すように、マスク固定用シール１０ａは、略矩形状に形成されており、正面から見て左側部分を構成するマスク固定部２０と、右側部分を構成し、利用者の頬部に貼り付けられる肌用シール部３０とを備えている。
【００１９】
マスク固定用シール１０ａは、図１に示すように、マスク１の紐３の上側の固定部分と下側の固定部との間に亘って長尺に設けられており、上下方向を長尺にすることでマスク１への固定が安定するようにしている。
【００２０】
このマスク固定部２０と肌用シール部３０の左右方向における長さの比率は、概ね２：１になるように形成されている。
【００２１】
マスク固定部２０は、その裏側が粘着性を有しており、マスク１の不織布２の表側から貼り付けることで取り付けられる。この裏側の粘着性は、例えば、両面テープなどのシールを用いることによって得ることができ、この両面テープの剥離紙を剥がすことで粘着性を利用して貼り付けることができる。
【００２２】
また、マスク固定部２０には、左側端部から右側に向けて延びる２つのマスク固定用スリット２１が、上下方向に間隔を空けて設けられている。このマスク固定用スリット２１は、スリット幅を調整して貼り付けることで、マスク１の種類によって異なる不織布２の立体的、曲面的形状に合わせて隙間を生じさせずに広い面積で貼り付けられるようにするためのものである。また、不織布２の表側に歪みが生じたとしても、マスク固定部２０が容易に剥がれないようにするための剥がれ防止の機能も奏している。
【００２３】
なお、マスク固定部２０は、マスク１への固定をより強固にするために、表裏で二重構造に構成して不織布２を表裏で挟むようにして取り付けるようにしてもよい。また、粘着性を用いずに、不織布２とマスク固定部２０をクリップなどで物理的に固定するようにしてもよい。
【００２４】
肌用シール部３０には、上下方向の略中央部に位置し、左右方向に延びる紐挿通用スリット３１が設けられている。この紐挿通用スリット３１は、肌用シール部３０を上下に分離しており、紐挿通用スリット３１の上側部分には、上側シール部３０ａが、下側部分には、下側シール部３０ｂがそれぞれ構成されている。これらの上側シール部３０ａ、下側シール部３０ｂは、折り曲げ線Ｌに沿って、前後方向に自由に折り曲げる（屈曲させる）ことができるとともに、顔の形状や輪郭Ｆ（図３参照）に合わせてそれぞれを個々に独立して屈曲させることができる。
【００２５】
これらの上側シール部３０ａ、下側シール部３０ｂには、メッシュ構造の不織布などが用いられており、通気性をよくすることで肌荒れのおそれを最小限に抑えている。また、裏側には、サージカルテープで使用されるような肌に優しい粘着剤が塗布されている。なお、これらの通気性を有する素材や、肌に優しい粘着剤は、従来から使用されている技術を使用するものであるため、その詳細な説明は省略する。
【００２６】
次に、本考案に係るマスク固定用シール１０ａの使用方法について、図３を用いて説明する。
【００２７】
利用者が美容室などを利用する際には、それぞれの利用者が自分のマスクを装着している。この利用者のマスクをそのまま使用して、耳から紐を外してもマスクが装着できるようにするために、本考案のマスク固定用シール１０ａが使用される。
【００２８】
マスク１の装着方法としては、まず、マスク１の紐３を耳に掛けたままの状態で、利用者にとってマスク１が最適な位置になるように普通に装着してもらう。そして、マスク固定用シール１０ａのマスク固定部２０をマスク１の不織布２の表側から貼り付ける。このとき、利用者の顔の大きさやマスク１の大きさによって肌用シール部３０が利用者のもみあげ部分に被ってしまうような場合には、マスク固定部２０の貼り付け位置を左右に調整したり、マスク１の側面を折り返して曲げた状態で貼り付けるようにする。なお、マスク固定部２０は、利用者がマスク１を装着する前に、予め貼り付けるようにしてもよい。
【００２９】
次に、マスク固定用シール１０ａの上側シール部３０ａの剥離紙を剥がして、利用者の頬部に貼り付ける。このとき、上側シール部３０ａは、利用者の顔の輪郭Ｆ（図３において２点鎖線で示す）に合わせて自由に屈曲するので、頬部に隙間なく広い面積で貼り付けることができる。
【００３０】
上側シール部３０ａが頬部に貼り付けられた状態で、マスク１の紐３を耳から外してもらい、図３に示すように、紐３を下側に垂らすようにして配置する。この状態では、紐３の上側部分３ａは、上側シール部３０ａの表側を通ることになる。
【００３１】
また、紐３の中央部分３ｂ（紐３の上側部分３ａの下側）は、下側シール部３０ｂの裏側を通すようにし、紐３と一緒に下側シール部３０ｂを頬部に貼り付ける。このとき、下側シール部３０ｂについても上側シール部３０ａと同様に、利用者の顔の輪郭Ｆに合わせて自由に屈曲するので、頬部に隙間なく貼り付けることができ、マスク１の本来の基本性能である密着性が保たれる。これらの手順によって装着することで、紐３の位置が紐挿通用スリット３１および下側シール部３０ｂによって規制される。また、顔を上側に向けたとしても紐３が耳元にずれて移動しないようになるとともに、マスク１が頬部に確実に固定される。
【００３２】
本考案の実施の形態に係るマスク固定用シール１０ａでは、マスク１側に取り付けられるマスク固定部２０と、利用者の頬部に貼り付けられ、マスク１の装着時に紐３を挿通させる紐挿通用スリット３１が形成され、紐挿通用スリット３１によって上側シール部３０ａと下側シール部３０ｂとに分離された肌用シール部３０とを備えているので、紐挿通用スリット３１に紐３を挿通させて、下側シール部３０ｂで紐３の位置を固定することができる。これにより、マスク装着時に紐３がずれて利用者の耳元に移動しないようにすることができる。
【００３３】
また、上側シール部３０ａと下側シール部３０ｂとを分離して構成しているので、それぞれ異なる利用者の顔の輪郭Ｆ（曲面）に合わせて、上側シール部３０ａと下側シール部３０ｂを個々に最適な位置で貼り付けることができる。また、髭を生やした利用者であっても、髭の上から十分な接着力で貼り付けることができる。
【００３４】
さらに、上側シール部３０ａ、下側シール部３０ｂが、利用者の顔の輪郭Ｆに合わせて、それぞれ独立して屈曲するように構成しているので、様々な顔の輪郭に合わせて、上側シール部３０ａ、下側シール部３０ｂを頬部との隙間を生じさせずに広い面積で貼り付けることができる。そのため、マスク１が頬部から容易にずれることがなく、利用者に不安感を与えることがない。
【００３５】
以上、本考案に係るマスク固定用シール１０ａについて述べたが、本考案は既述の実施形態に限定されるものではなく、本考案の技術思想に基づいて各種の変形および変更が可能である。
【００３６】
例えば、図４に示すマスク固定用シール１０ｂのように、マスク固定部２０の下側に、利用者の顎部に貼り付けられる顎用シール部３２を設けるようにしてもよい。この顎用シール部３２は、上側シール部３０ａ、下側シール部３０ｂと同様に、肌に優しい素材で製作されており、マスク固定部２０に対して自由に折り曲げられる（屈曲）できるようになっている。この顎用シール部３２を設けることにより、利用者の異なる顔の輪郭Ｆに合わせて、より確実に貼り付けることができる。
【００３７】
また、本実施の形態では、肌用シール部３０に紐挿通用スリット３１を設けているが、これに限定されない。例えば、紐挿通用スリット３１の代わりに、マスクの紐３を挿通させる紐挿通穴を空けておき、この穴に通すことで紐３の位置を規制するようにしてもよい。この穴の形状は、丸穴、角穴など、デザイン性を考慮して自由に決定することができる。
【００３８】
さらに、本実施の形態では、上下方向の略中央部に１つの紐挿通用スリット３１を設けているが、２つ以上の複数の紐挿通用スリット３１を設けるようにしてもよい。また、紐挿通用スリット３１の方向も左右方向に延びるもの以外に、上下方向や斜め方向に延びるものであってもよい。これによれば、既製品のマスクの種々の形状や構造に対し、いずれかの紐挿通用スリット３１を選択して紐３を挿通させることができるので、既製品として流通している種々のマスクに対応することができる。
【００３９】
また、本実施の形態では、マスク固定用シール１０ａ、１０ｂの外形状を略矩形状としたが、例えば、円形、楕円形、台形などの様々な形状にすることもできる。これにより、デザイン性が向上し、利用者がマスク固定用シール１０ａ、１０ｂを貼り付けることに対する嫌悪感を和らげることができる。
【符号の説明】
【００４０】
１  マスク
２  不織布
３  紐
３ａ  紐の上側部分
３ｂ  紐の中央部分
１０ａ、１０ｂ  マスク固定用シール
２０  マスク固定部
２１  マスク固定部用スリット
３０  肌用シール部
３０ａ  上側シール部
３０ｂ  下側シール部
３１  紐挿通用スリット
３２  顎用シール部
Ｌ  折り曲げ線
Ｆ  顔の輪郭
【図１】
0003232484.tif 000003
【図２】
0003232484.tif 000004
【図３】
0003232484.tif 000005
【図４】
0003232484.tif 000006